(57)【要約】  炭酸飲料を保存する飲料容器は、開口（１１；７０Ａ）を含む容器本体（１０；７０）と、前記開口を閉鎖する着脱式の閉鎖手段と、を備え、前記閉鎖手段は、前記開口に気密シールを提供する箔（１２；７２）と、箔を容器本体に固定するカラー（１３、１４；７１）と、を備える。カラーは、独立して提供される（５１；６０）、又は別の構成要素、例えばキャップ（９３）の一部（９３Ａ）として提供される円筒形構成要素でよい。カラーをキャップのスカートの周囲に設けるか、キャップのスカートをカラーの周囲に設けてもよい。箔（７２）をカラー（７１）に固定してもよい。
2008505811.tif 000002
【特許請求の範囲】
【請求項１】
開口を含む容器本体と前記開口を閉鎖する着脱式の閉鎖手段とを備える炭酸飲料保存用の飲料容器であって、前記閉鎖手段は、前記開口に気密性シールを提供する箔と、前記容器本体に前記箔を固定するカラーと、を含んでなることを特徴とする飲料容器。
【請求項２】
前記箔が前記カラーに固定されていることを特徴とする請求項１に記載の飲料容器。
【請求項３】
前記カラーが、略円形開口を自身の各端部に有する略円筒形部材を含んでなり、前記箔が前記開口の１つにわたって延在していることを特徴とする請求項２に記載の飲料容器。
【請求項４】
前記カラーが前記容器本体にスナップ嵌めされていることを特徴とする請求項１〜３のいずれか一項に記載の飲料容器。
【請求項５】
前記容器本体が自身の前記開口の周囲に突出する縁部又はリップを有し、前記カラーが前記縁部又はリップ上にスナップ嵌めされていることを特徴とする請求項４に記載の飲料容器。
【請求項６】
前記閉鎖手段が、前記カラー上に嵌るキャップを含んでなることを特徴とする請求項１〜５のいずれか一項に記載の飲料容器。
【請求項７】
前記キャップが、前記カラーに対する回転によって前記カラーに固定されていることを特徴とする請求項６に記載の飲料容器。
【請求項８】
前記キャップ及び前記カラーが相互に係合可能なねじ部を有することを特徴とする請求項７に記載の飲料容器。
【請求項９】
前記キャップを前記カラーに固定すると、少なくとも第１の位置において前記容器から前記カラーが外れるのを防止し、これにより前記閉鎖手段を前記容器本体に固定していることを特徴とする請求項８に記載の飲料容器。
【請求項１０】
前記キャップのねじを第２の位置へと緩めると、前記カラーを前記容器からこじ開けることができることを特徴とする請求項９に記載の飲料容器。
【請求項１１】
前記カラーを前記容器本体からこじ開けても、前記キャップ及び前記カラーが一緒に固定されたままであることを特徴とする請求項１０に記載の飲料容器。
【請求項１２】
前記カラーが自身内に複数のスロットを有し、これにより前記容器本体に嵌るか、前記容器本体からこじ開けるか、或いはその両方を実行するのに十分な範囲まで拡張することができることを特徴とする請求項１〜１１のいずれか一項に記載の飲料容器。
【請求項１３】
前記カラーがその周囲に１つもしくは複数の中断部又はギャップを有し、これによって前記容器本体に嵌るか、そこからこじ開けるか、或いはその両方を実行するように半径方向に拡張することができ、更に前記ギャップを閉鎖し、前閉位置での前記カラーの半径方向の拡張を防止する取り外し可能な締結手段を有していることを特徴とする請求項１〜１２のいずれか一項に記載の飲料容器。
【請求項１４】
前記箔が前記カラー又は前記キャップに固定され、これにより前記キャップ及び／又は前記カラーを前記容器からこじ開けると、前記箔が前記容器から漸進的に剥ぎ取られることを特徴とする請求項１０〜１３のいずれか一項に記載の飲料容器。
【請求項１５】
前記カラーが円形構成要素の周囲から垂れ下がるスカートを備え、前記カラー及び前記円形構成要素が一緒になってキャップの形態を有していることを特徴とする請求項１〜１４のいずれか一項に記載の飲料容器。
【請求項１６】
前記スカートが自身内に少なくとも１つの中断部又はスロットを有し、これにより前記スカートが半径方向外側に屈曲して前記カラーを前記容器本体の周囲に嵌めることができ、更に、前記スカートを前記容器本体の周囲に固定するように、このような外側への半径方向の屈曲を防止するために前記中断部又は前記スロットの橋渡しをする取り外し可能な固定手段を有していることを特徴とする請求項１５に記載の飲料容器。
【請求項１７】
開口を含む容器本体と、前記開口を閉鎖する着脱式の閉鎖手段と、を備える飲料容器であって、前記閉鎖手段が、前記開口を密封する箔と、前記本体を前記箔上に嵌めるキャップと、前記キャップの周囲に嵌って前記キャップを前記容器本体に固定するカラーと、を備えることを特徴とする飲料容器。
【請求項１８】
前記キャップが前記容器本体にスナップ嵌めされるが、前記カラーが前記キャップの周囲の所定の位置、少なくとも第１の位置にある場合には、前記キャップが前記容器本体からこじ開けられるのを防止していることを特徴とする請求項１７に記載の飲料容器。
【請求項１９】
前記カラー及び前記キャップが相互に係合するねじ部を有し、前記カラーが前記キャップに対して第１の固定位置から第２の解放位置へと回転可能であることを特徴とする請求項１７又は１８に記載の飲料容器。
【請求項２０】
前記第２の位置で、前記カラーによって前記キャップの少なくとも一部が外側に屈曲することができ、これにより前記キャップを前記容器本体からこじ開けることができることを特徴とする請求項１９に記載の飲料容器。
【請求項２１】
前記キャップを前記容器本体からこじ開けると、前記箔が漸進的に前記容器本体から剥ぎ取られるように、前記箔が前記キャップに固定されていることを特徴とする請求項２０に記載の飲料容器。
【請求項２２】
前記固定位置で、前記キャップ及び前記カラーが改竄防止手段によって接続されていることを特徴とする請求項１７〜２１のいずれか一項に記載の飲料容器。
【請求項２３】
請求項１〜２２のいずれか一項に記載の飲料容器を提供するために使用される閉鎖手段。
【請求項２４】
炭酸飲料を収容するための、請求項１〜２２のいずれか一項に記載の飲料容器の使用方法。
【請求項２５】
開口を含む容器本体を備える飲料容器の密封方法であって、前記開口を閉鎖するために箔を適用するステップと、前記箔を前記容器本体に固定するためにカラーを適用するステップと、を含んでなることを特徴とする密封方法。
【発明の詳細な説明】
【技術分野】
【０００１】
本発明は飲料容器に関し、特に炭酸飲料を消費者に供給する容器に関する。本発明は、炭酸飲料及び他の発泡性飲料の保存及び供給に対して特に有用性を有するが、他のタイプの飲料にも使用することができる。
【背景技術】
【０００２】
長年、飲料供給業者及び容器製造業者間には、特にビールなどの炭酸飲料に関して、消費者がグラス又は他の飲用容器から飲むのと同じ方法で快適に飲むことができる実際的な広口の飲料供給容器を提供したいとの要望があった。このような飲料容器は、飲料供給業者、容器製造業者及び消費者に対して同様に多大な利点を提供するにもかかわらず、これらの目的を満足するのに成功した飲料容器はまだ生産されていない。その結果、ビン及びリングプル缶が現在のところ、消費者にとって主な実際的飲料供給容器になっている。これは、広口容器に関連して克服すべき重大な技術的問題があるからであり、この問題に対する実際的解決策の考案に成功していない。本発明は、実際的な飲料容器の提供を目的とする。
【発明の開示】
【発明が解決しようとする課題】
【０００３】
本発明の第１の態様は、開口を含む容器本体と前記開口を閉鎖する着脱式閉鎖手段とを含んでなる炭酸飲料保存用の飲料容器を提供し、閉鎖手段は、前記開口に気密シールを提供する箔と、この箔を容器本体に固定するカラーとを備える。
【課題を解決するための手段】
【０００４】
本明細書で箔に言及した場合、それは薄膜を指すものと理解され、これは箔に強度を与える１つ又は複数の層、並びに、箔の上及び／又は下面を別の物品に取り付ける１つ又は複数の層を備える不浸透性積層品を含む。このような箔は他の分野で広く使用されている。箔を誘導加熱で固定する場合、電気誘導層が必要である。これは通常は金属層であり、最も一般的にはアルミの層である。電気誘導層には通常、電気誘導層を加熱すると溶融して、箔をこれと接触状態で保持された品目に結合するポリエチレンなどの１つ又は複数のプラスチックコーティングを設ける。このような箔は、ガラスとプラスチックの物品両方に結合することができる。
【０００５】
容器は通常、例えばポリエチレンテレフタレート（ＰＥＴ）などのプラスチック材料、又はガラスで形成される。容器は、例えばビールグラスなどの従来の飲料容器に似せて成形することが好ましい。
【０００６】
箔は、例えば誘導加熱によって溶着することにより、容器本体に固定することが好ましい。
【０００７】
カラーは、その各端部にほぼ円形の開口が形成された略円筒形の部材を備えることが好ましい。好ましい実施形態では、箔は前記開口の１つの全体にわたって延在する。カラーは容器本体にスナップ嵌めすることが好ましく、カラーがスナップ嵌めされる開口の周囲に突出する縁部又はリップを有していることが好ましい。
【０００８】
好ましい配置構成では、閉鎖手段はカラー上に適合するキャップを備え、キャップはその間の相対的回転によってカラーに固定される。キャップ及びカラーには、相互に係合可能なねじ部を設けることが好ましい。第１の位置で、キャップは容器本体からカラーが外れることを防止し、これにより閉鎖手段を容器本体に固定する。
【０００９】
キャップが第２位置にある場合、カラーを容器本体からこじ開けることができる。カラーが容器本体からこじ開けられると、箔が容器本体から漸進的に剥がし取られるように、箔がカラーに固定されることが好ましい。
【００１０】
好ましい実施形態では、カラーは自身内に複数のスロットを有し、これによって容器本体に嵌めるか、そこからこじ開けるか、或いはその両方にとって十分な程度まで延在することが可能である。別の形態では、カラーは周囲に中断部又はギャップを有し、これにより容器本体に嵌めるか、そこから外すか、或いはその両方を実行するように半径方向に拡張することができ、更に前記中断部又はギャップを閉鎖して閉位置でのカラーの半径方向拡張を防止する解放可能な締結手段を有している。
【００１１】
上記で示したように、好ましい配置構成では、箔はカラー又はキャップに固定され、これによりキャップ及び／又はカラーを容器からこじ開けると、箔が容器から漸進的に剥ぎ取られる。
【００１２】
カラーは、円形構成要素の周囲から垂れ下がるスカートを備えてよく、カラー及び円形構成要素はともにキャップの形態を有する。スカートは自身内に少なくとも１つの中断部又はスロットを有してよく、これによりスカートは半径方向外側に屈曲して、カラーを容器本体の周囲に嵌めることができ、更に中断部又はスロットを橋渡しして、スカートを容器本体の周囲に固定するように、半径方向外側の屈曲を防止する解放可能な固定手段を有してよい。
【００１３】
幾つかの実施形態では、カラーは不完全なリング又は帯の形状でよく、その端部を相互に接合して、リングを形成することができる。このような帯の２つの端部を接合するために使用する締結器具は、単純に２つの端部を相互に固定して、完全なリングを形成するか、帯の端部を相互に引き寄せて、容器本体の周囲で締め付けられるようにすることができる。このような締結器具は、リングに張力を加えた状態で保持するオーバセンタ機構によって帯の２つの端部を相互に固定する部品を備えてよい。
【００１４】
カラーには、脆弱化区域の隣に１つ又は複数のタブを設けることができ、これによりカラーを破壊又は引き裂いて開封するようにタブを引っ張ることができる。このようなタブは、従来のリングプルに似せて形成することができ、容器の通気を開始するように箔を穿孔するよう配置構成することができる。
【００１５】
上述したようなカラーは、キャップなしで箔を容器本体に固定するように使用してもよい。
【００１６】
キャップ及び／又はカラーは、ある範囲の材料から作製することができるが、ポリプロピレン（ＰＰ）又はポリエチレン（ＰＥ）などのプラスチック材料から形成することが好ましく、射出成形で形成することができる。カラーは、例えば金属など、他の材料で形成されてもよい。
【００１７】
キャップ及び／又は箔を完全に外す前に容器内の圧力を通気できるように、通気手段を設けることが好ましい。箔を容器に取り付けると、箔を容器から剥ぎ取るにつれて制御された通気を提供することができ、箔は容器の口の一方側からその他方側へと容器から漸進的に剥ぎ取られる。
【００１８】
箔は、例えば約６バールなど、（炭酸飲料容器が高温に曝された場合に生じるような）１〜２バール以上の内圧に耐えることができる方法で容器に固定することが好ましい。
【００１９】
箔は、ガスが出て行くのを防止する上に、ガスの進入からも容器を保護し、これにより飲料の汚染を防止して気が抜けるのを防止する。このような箔があると、飲料容器は（容器に入れて販売されるビール及び他の炭酸飲料で通常必要とされるような）少なくとも９ヶ月の保存寿命をみたすことができる。
【００２０】
箔は、箔が無傷である場合は、製品が改竄されていないか、以前に開封されていない保証を消費者に提供するという点で、改竄防止を提供することもできる。この機能は、キャップを透明な材料で形成すると、更に強化される。
【００２１】
本発明の第２の態様は、開口を含む容器本体と、前記開口を閉鎖する着脱式の閉鎖手段とを備える飲料容器を提供し、閉鎖手段は、前記開口を密封する箔、箔上で本体に嵌るキャップ、及びキャップの周囲に嵌ってキャップを容器本体に固定するカラーを備える。
【００２２】
好ましい配置構成では、閉鎖手段上に改竄防止手段を設けて、閉鎖手段が開封されているか、改竄されているかの視覚的表示を提供する。改竄防止手段は、カラーが緩められるか、外されると破断する脆弱な接続部をキャップとカラーとの間に備えることが好ましい。
【００２３】
改竄防止手段の１つの形態は、１つ又は複数のフラップ又は他の機構を備え、これは各々脆弱な接続部を介してキャップに接続され、カラーがキャップの周囲に嵌められると、カラーと係合するように動作可能であり、例えば溶着などによってカラーに固定することができる。このカラーへの接続は前記脆弱性接続部より強力であるので、カラーがキャップに対して動作すると、脆弱な接続部が破壊される。フラップ及びカラーには、相互に接続するのに役立つために、例えば穴の中に嵌る突出ペグのような相互に係合可能な部品を設けることができる。複数、例えば４つのこのようなフラップ又は機構は、キャップの周囲に隔置して設けることが好ましい。
【００２４】
別の実施形態では、キャップに改竄防止機構を設け、これはリングに接続されると、キャップの別の部品と相互に係合し、したがって改竄防止機構とキャップの間の脆弱な接続部を破壊させるリングの相対的動作は、前記相互係合を介してキャップの破断も開始する。これによって、例えば容器の通気を提供するために、キャップの容器本体からの剥ぎ取り及び／又は箔の破断開始が更に容易になる。キャップには、このような破断を開始可能な１つ又は複数の薄い区域又は弱い区域を設けることができる。代替的又は追加的に、前記機構はカラーを通して延在し、間の回転運動を阻止することによってカラーの不注意の、又は時期尚早の緩みを防止するように、キャップの別の部品を係合することができる。しかし、カラーに十分な力を加えると、キャップ及び／又はカラーの破断が開始して、容器からのキャップの取り外しを容易にする。
【００２５】
場合によっては、改竄防止手段は、カラーを外せるようにするためにカラーを破断又は開放するカラーの部分を備えることができる。カラーは連続的リングでよく、例えば上述したように内面にカム手段又はねじ形状を有するか、これも上記で検討したように１つ又は複数の脆弱化又は破断可能な区間を有する、或いはその両方である。しかし、容器本体へのキャップの固定に役立てるために、他の多くの形状のカラーを使用することができる。カラーは、例えばキャップのスカートの周囲に締まり嵌めすることができる。別の配置構成では、カラーの直径は、所定の位置に嵌めるとスカートの周囲に締め付け可能であるように調節可能であってもよい。
【００２６】
上記で示したように、閉鎖手段を、容器から外されると容器に通気を提供するように配置構成することができる。通気は、キャップに対してカラーが最初に動作すると、（キャップの喪失を回避するように）キャップが自由に外される前に制御された方法で実行されることが好ましい。制御された通気を、箔が外される前、又は箔が容器から引き剥がされ始めると、或いはその両方において箔を穿孔することによって提供することができる。
【００２７】
キャップ及び／又はカラーは、例えば容器内の圧力増加によって歪み得る範囲を制限するか、箔と容器との間の接続部を強化するか、或いはその両方によって、箔に物理的支持を提供することが好ましい。キャップ及び／又はカラーは、開口の周囲で箔の周囲に載り、これにより容器と接触した箔の保持を補助することが好ましい。場合によっては、内圧による箔の破裂を制限するのに十分な障害物も提供することができるが、特にその中心で箔の撓みに対するさらなる障害物を提供するが、更に箔を穿刺及び／又はその無傷性を低下させるかもしれない外部物体との物理的接触から箔を保護するためにも、キャップは箔全体にわたって延在し得る。したがって、キャップ及び／又はカラーは、箔と容器との接続を強化及び／又は保護し、箔に穿刺保護を提供する。
【００２８】
さらなる実施形態では、キャップは、頂部部品から垂れ下がるスカートを備えることが好ましく、スカートは開口の隣で容器本体の外部上に嵌るように設計される。カラーは、前記スカートが容器から離れるのを防止するように、前記スカートの外部の周囲に嵌り、これによって容器本体からキャップが外れることを阻止することが好ましい。スカートの部分は、半径方向外側に突出した縁部又は容器本体上の他の形状の突起の下に嵌ることが好ましく、それと締まり嵌めすることが好ましい。カラーは、前記縁部又は他の突起の下でスカートの前記部分の保持を補助することが好ましい。カラーの内面及び／又はスカートの外面には、カム表面及び／又はねじ状構成を設けることができ、これによりスカートに対してカラーを回転すると、カラーはスカートの区間に半径方向内側への力を与え、これによってキャップを容器本体上に更に確実に保持することになる。このような相対的動作は純粋に回転動作でよく、その間に軸方向の動作を含む必要はない。
【００２９】
好ましい配置構成では、箔及びキャップを最初に（一緒に、又は別々に）容器本体に適用し、次にカラーを取り付けて、キャップを容器に固定する。好ましい配置構成では、キャップを容器から外せるようにするために、カラーを外すか、破壊するか、或いはその両方を実行する必要がある。箔は、キャップが外されると、キャップと一緒に外され、これに結合したままであることが好ましく、したがってキャップが外されると、容器から剥ぎ取られる。キャップを外した後に、こぼれを防止したり、飲料の新鮮さを保全するために、例えば容器にスナップ嵌めすることによって開口を覆うようにして、キャップを再使用してもよい。
【００３０】
場合によっては、箔を強化して、その耐破壊性を上げる必要があるか、箔の上面に延在する例えば厚紙の円板のような保護構成要素を箔とカラーの間に捕捉するか、或いはその両方でもよい。このような状況では、カラーは箔の上部周囲を覆い、更に容器の外面の周囲に延在することが好ましい。箔は、開口の隣で容器の外面上に延在するスカート部分を有することも好ましく、例えば容器のリップの下で、所定の位置にてかしめることが好ましい。カラーは、かしめを補助するか、箔のスカートを所定の位置に保持するのを補助するか、或いはその両方を実行することができる。
【００３１】
好ましい配置構成では、キャップ及び箔を一緒に容器本体から外せるように、箔がキャップに取り付けられ、箔は、キャップをこじ開けると容器から剥ぎ取られるように配置構成することが好ましい。箔は、キャップの少なくとも一部と接触した状態で保持しながら、例えば誘導加熱などによって箔を加熱し、箔のプラスチック層を溶解することによって、キャップに取り付けることができる。このような箔の取付け方法は、他の用途でよく知られている。
【００３２】
代替的又は追加的に、箔は、例えば誘導加熱によって開口の周囲で容器に取り付けることができる。容器への取付けは、容器内の所望の圧力レベルに耐えるほど十分に強力でありながら、キャップを外すと箔が容器から分離するが、キャップに取り付けられたままで、それとともに外れるように、容器への取付けはキャップへの取付けよりも弱いことが好ましい。
【００３３】
別の配置構成では、箔は容器に取り付けられず、単にキャップによって容器と接触した状態で保持されるか、それに押し付けられることにより、その開口を密封することができる。
【００３４】
本発明の別の態様によると、開口を含む容器本体と、前記開口を閉鎖する着脱式の閉鎖手段と、を備える炭酸飲料保存用の飲料容器が提供され、閉鎖手段は、前記開口を密封する箔、容器本体の開口の周囲に嵌る第１構成要素、及び、第１構成要素を容器本体に固定する第２構成要素を備え、第１又は第２構成要素（又はその両方）が前記箔を覆うように配置構成されている。
【００３５】
第１構成要素はキャップの形態でよく、第２構成要素はキャップの周囲に嵌るカラーの形態でよい。或いは、第１構成要素がカラーの形態で、第２構成要素がカラー上又はカラー内に嵌るキャップの形態でもよい。箔は開口を密封し、それがキャップの形態であっても、カラーの形態であっても第１構成要素に固定されるか、第１構成要素によって所定の位置に保持されるか、或いはその両方であることが好ましい。
【００３６】
本発明の別の態様によると、開口を含む容器本体と、前記開口を閉鎖する着脱式の閉鎖手段と、を備える炭酸飲料保存用の飲料容器が提供され、閉鎖手段は、容器本体上に着脱式に装着される第１構成要素と、第１位置では第１構成要素を容器本体に固定し、第２位置では第１構成要素に取り付けられたままで、それを外せるように第１構成要素に取り付けられる第２構成要素と、を備える。
【００３７】
第２構成要素は、第１構成要素に取り付けられると、そこから分離できないことが好ましい。或いは、キャップは、例えば一体蝶番（つまりその間の薄いプラスチックのウェブ）によってカラーに蝶番式に接続することができる。
【００３８】
好ましい実施形態では、第２構成要素が第１構成要素に取り付けられると、これは第１方向に回転して前記第１位置に入ることができ、前記第１位置から前記第２位置へと反対方向に回転可能である。
【００３９】
前記開口を密封するために、箔を設けることが好ましい。箔は、第１構成要素及び第２構成要素を容器本体から外すと、一緒に外せるように第１構成要素に取り付けられることが好ましい。
【００４０】
第１構成要素及び第２構成要素は、その外部の周囲で相互に接続するように、容器上に嵌ることが好ましいが、他の構成要素では開口内に嵌ってよい。
【００４１】
以上の配置構成のいずれでも、容器本体の開口は広口開口であることが好ましい。「広口開口」とは、（少なくとも最も広い意味で）人がグラス又は同様の飲料容器から飲むのと同じ方法で容器から飲むのに適切なサイズの開口を意味する。つまり、最も広い意味で、（広口開口を有する本発明の実施形態の）容器の広口開口は通常、容器を、（通常、快適な飲用容器と見なされていない従来の首の細いビン及びリングプル缶とは対照的に）容器内で供給される飲料を都合良く飲むことができる飲料容器として適切なものとする。実際には、この要件は、容器の広口開口の直径が通常、少なくとも４０ｍｍ、好ましくは４５ｍｍ、更に好ましくは少なくとも５０ｍｍである必要があるという意味である。また、過度に広い開口は通常、消費者が飲むのに困難であり、したがって広口開口は好ましくは１５０ｍｍ以内、更に好ましくは１００ｍｍ以内、特に８０ｍｍ以内の直径を有する。広口開口の特に好ましい直径範囲は５０ｍｍ〜８０ｍｍであり、特に好ましい直径の実施例は５３ｍｍ及び６３ｍｍを含む。
【００４２】
しかし、本発明は、例えばビンの形状などの比較的細い口を有する容器にも適用可能である。
【００４３】
容器本体は、その外部にねじ又はねじ区画を有さないことが好ましい。その結果、容器本体は、消費者が容器本体から直接飲むことに適していることが好ましい。
【００４４】
本明細書の冒頭で示したように、本明細書で説明する容器は、他のタイプの飲料にも使用してよいが、本発明は、炭酸飲料及び他の発泡飲料、例えばビール、サイダ、スパークリングワイン（シャンパンを含む）、他の泡立つアルコール飲料、非アルコール炭酸飲料、ソーダ水及び炭酸ガス入りソフトドリンクを含む発泡性飲料の保存並びに供給に関する。これは、例えば温度の上昇及び／又はガスの放出が原因で、容器内に高い圧力を生じ得る他の液体の保存にも使用することができる。
【００４５】
本発明の更に別の態様によると、本明細書で説明するような飲料容器の閉鎖手段が提供される。本発明は、本明細書で説明するような飲料容器の閉鎖手段の改竄防止手段にも関する。
【００４６】
また、本発明は、炭酸飲料を含む記載されたタイプの飲料容器の使用に、並びにこのような容器を密封する方法に関する。
【００４７】
本発明の他の好ましい又は任意選択の特徴は、以下の説明から、並びに本明細書に基づく特許請求の範囲から明白である。
【００４８】
次に、単に例示であるが、添付図面参照しながら本発明を更に説明する。
【発明を実施するための最良の形態】
【００４９】
カラーという用語は通常、以下の説明ではその各端部に開口があるほぼ円筒形の構成要素に関して使用され、キャップという用語は、ほぼ円形の上部分及びその周囲から垂れ下がるスカートを備え、容器を閉鎖する構成要素に関して使用される。しかし、本発明の最も広義の態様では、カラーという用語は、キャップのスカートを形成するほぼ円筒形の構成要素にも適用することができ、その一方端でのみ開いている。
【００５０】
図１は、開口１１を有する容器１０と、箔１２、キャップ１３及びカラー１４を備える閉鎖手段と、を示す。
【００５１】
容器は、ビールグラスに類似するように成形され、その開口１１の周囲にリップ１０Ａを有する。箔は最上部分１２Ａ及びスカート１２Ｂを有する。キャップ１３は、その周囲に１つ又は複数のギャップ１３Ａを含み、その外面にねじ状構成１３Ｂを有し、それぞれが一体蝶番によって自身に取り付けられる改竄防止クリップ１３Ｂを有することが好ましく、各クリップは突起１３Ｃを担持する。カラー１４は、キャップのねじ状構成１３Ｂと係合するために、その内面にねじ状構成１４Ｂを備え、各クリップ１３Ｂ及び突起１３Ｃを受容するために凹み及び穴１４Ｃを備える。
【００５２】
図２Ａで示すように、箔１２はキャップ１３によってリップ１０Ａと接触している。キャップ１３は、リップ１０Ａの下にスナップ嵌めされた内部突出フランジ１３Ｄを有し、カラー１４は、フランジ１３Ｄがリップ１０Ａから係合解除するのを防止するように、容器１０を囲むことによってそれにキャップ１３を固定する。カラー１４は、その個々のねじ状構成１３Ｂ、１４Ｂによってキャップ１３に固定される。
【００５３】
閉鎖手段を外すには、カラー１４をキャップ１３から「ねじで緩め」、閉鎖手段を外す。次に、キャップ１３を容器１０からこじ開けることができ、ギャップ１３Ａによってリップ１０Ａからのフランジ１３Ｄの係合解除が容易になる。というのは、容器１０から持ち上げられるにつれ、キャップ１３の周囲を拡大することが可能だからである。キャップのねじ状構成１３Ｂはリップを提供し、これを持ち上げてキャップ１３の剥ぎ取りに役立てることができる。好ましい配置構成では、箔１２はキャップ１３の下側に結合され、これによりキャップ１３が容器からこじ開けられると、一方の縁部で持ち上げられ、容器１０から徐々に剥ぎ取られる。対照的に、容器１０へのキャップ１３の固定は、カラー１４をキャップ１３にねじ込むことによって実行される。
【００５４】
閉位置で、フラップ１３Ｂを各々上方向に折り曲げて、カラー１４と係合させ、次にこれに溶着させることが好ましく、カラー１４を捻ってこれを外しても、フラップ１３Ｂは取り付けられたままで、一体蝶番の線に沿ってキャップ１３から切り取られ、視覚的な改竄防止を提供する。
【００５５】
図３〜図５に示す実施形態は、基本的に図１〜図２に示したものと同様であり、容器２０、箔２１、キャップ２２及びカラー２３を備える。この実施形態では、カラーのねじ状構成２３Ａに傾斜部２３Ｂを設け、キャップ２２のねじ状構成２２Ａと係合すると、キャップのスカート２２Ｂを半径方向内側に押しやり、これが容器１０と更に確実に係合する。各傾斜部２３Ｂの後に中立の休止位置２３Ｃを設ける。図５は、キャップの改竄防止フラップ２２Ｃを上方向に折り曲げて、カラー２３と係合させた状態で、組み立てた容器を示す。キャップ２２のねじ状構成２２Ａには傾斜部も設けてよい。
【００５６】
図６Ａ及び図６Ｂは、キャップ３１及びカラー３２のねじ状構成３１Ａ及び３２Ａが、突起３１Ｂ及び３２Ｂを有し、これはカラーをキャップ上にねじ込んで図６Ａに示す閉位置にすると相互に通過するが、カラー３２のねじを緩めると係合して、弱い点３１Ｃの周囲でキャップ３１を破断させ、キャップ３１が外れるのを補助し、キャップ３１にこのように形成されたギャップ３４を通して改竄防止を提供するか、（箔３３も破断した場合に）容器の通気を開始するか、或いはその両方を実行する、図３の閉鎖手段の変形を示す。図示したように、突起３１Ｂ、３２Ｂに隣接するねじ状構成３１Ａは中断され、これにより突起３１Ｂを担持する部分を折り返して、（図６Ｂで示すような）ねじ形状のギャップに入れることができる。
【００５７】
図７〜図９は、図３に示したキャップのさらなる変形を示す。この場合、キャップ４０は、正方形の突起４０Ｂを担持する改竄防止フラップ４０Ａを有し、突起は、上方向に折り曲げられると、カラー４１の口４１Ａを通って嵌り、キャップ４０の中断したねじ構成４０Ｃと係合する。キャップ４０には、この場合にも弱い点４０Ｄを設け、したがってカラー４１のねじを緩めると、突起４０Ｂとねじ構成４０Ｃとの係合によって、キャップ４０がこの弱い点で破断し、これもキャップ４０の取り外しを補助して、箔４２の破断によって改竄防止を提供するか、通気を開始するか、或いはその両方を実行する。
【００５８】
図１０〜図１１は、閉鎖手段が単に箔５０及びカラー５１を備える本発明の実施形態を示す。
【００５９】
カラーは、自身内にギャップがある第１部品５１Ａと、第１部品５１Ａと接続して第１部品５１Ａの両端を一緒にすることができる第２部品５１Ｂと、を備える。第２部品５１Ｂは第１部品５１Ａの一方端に引っ掛かり、オーバセンタ機構５１Ｃを有し、これによって、閉位置へと動作するとこの位置に留まり、カラー５１に張力を加えて、これを容器５２及び箔５０の周囲に更に確実に締め付けるようにする。図１１Ｂで示すように、カラー５１は容器５２のリップ５２Ａの下に係合するように成形され、カラーが締め付けられると、箔５０を更にきつく把持するように配置構成される。
【００６０】
部品５１Ｂにはタブ５１Ｄが設けられ、これはカラー５１を外して容器を開封したい場合に、従来のリングプルと同様に持ち上げて、１つ又は複数の弱い点５１Ｅにてカラーを破損することができる。この動作により、箔５０も穿孔することができる。
【００６１】
図１２は、多少類似した配置構成の斜視図を示す。この場合、カラー６０は第１部品６０Ａと、一体蝶番によってこれに接続され、閉位置へと動作すると第１部品６０Ａに締結される第２部品６０Ｂと、を備える。箔６１には、その剛性を向上させるスカート部分６１Ａを設ける。カラー５０も、箔６１の周囲を容器６２に締め付けるために使用される。箔６１は、所望に応じて、容器の最上部で露出している区域を強化し、耐破壊性を向上させることができる。代替的又は追加的に、箔６１の最上部に円板（図示せず）を位置決めすることができ、円板はカラー６０によって所定の位置に保持され、箔６１の上面を保護する。
【００６２】
図１〜図９及び図１２に関して上述した実施形態では、閉鎖手段は、キャップの周囲に嵌ってキャップを容器本体に固定するカラーを備える。しかし、閉鎖手段がカラー上に嵌るキャップを備えて、カラーを容器本体に固定するように、この配置構成を反対にできることに留意されたい。両方の配置構成で、直接的でも間接的でもカラー形状の構成要素を使用し、容器本体への箔の固定を補助する。上記で示したように、キャップのスカートは、本発明のより広義の態様では、「カラー」と見なすこともできる。
【００６３】
箔は単純に、カラーによって容器の開口にまたがって所定の位置に保持することができるが、カラーに固定することもできる。したがって、好ましい配置構成では、カラーは、タンバリンの形状で箔がその口にまたがった状態で容器の開口（の内側又は外側）に嵌る円筒形構成要素又は環状スカートを備えてよい。
【００６４】
図１３〜図１５は、容器本体７０と、自身に箔７２が固定されたカラー７１と、キャップ７３と、を備えるこのような容器の実施例を示す。容器は、外側に突出するリップ７０Ｂが形成された縁部に囲まれた開口７０Ａを有する。
【００６５】
カラー７１は、自身内に複数のギャップ又はスロット７１Ｂと、その外面上にねじ状構成７１Ｃが形成された略環状の部材７１Ａと、を備える。箔７２は、環状部材７１Ａの上部分に接合される。したがって、箔７２はカラー７１の上端で開口にまたがって設けられる。
【００６６】
キャップ７３は最上部分７３Ａと、そこから垂れ下がるスカート７３Ｂと、を備える。スカート７３Ｂの内面には、カラー７１Ａのねじ状構成７１Ｃと接続するねじ状構成７３Ｃを設ける。
【００６７】
カラー７１は、以前の実施形態で説明したキャップと同様の方法で、容器のリップ７０Ｂ上にスナップ嵌めされる。キャップ７３は、以前の実施形態で説明されたカラーがそのキャップと係合するのと同様の方法でねじ状構成を介してカラー７１とも係合する。したがって、キャップ７３はカラー７１に対して回転し、閉鎖手段を容器に確実に締結する。それを実行する際に、閉鎖手段は箔と容器の間のシールに圧力も加える。
【００６８】
本発明の利点は、キャップ７３を取り付ける前に、カラー７１及び箔７２を容器に組み付け、箔を接合できることである。したがって、箔７２は誘導加熱ではなく直接的加熱手段によって加熱することができる。溶着ヘッドから熱及び圧力を直接加えると、誘導加熱によって達成されるよりも確実な接合部を形成することができる。
【００６９】
図１４は、箔７２及びそのスカートを覆うキャップの最上部分７３Ａが、リップ７０Ｂからのカラー７１Ｂの係合解除を防止する状態で閉位置にある飲料容器を示す。容器を開封するには、カラー７１をリップ７０Ｂからこじ開けられるようにねじでカラー７１から緩めることにより、キャップ７３を最初に外す。これが可能であるのは、切り欠き７１Ｂによってカラー７１のスカートが外側に屈曲でき、箔７２が容器７０から剥ぎ取られるにつれて曲がるからである（図１５に図示）。したがって、カラー７１を容器７０からこじ開けるにつれ、箔７２は、容器の口の一方側から容器より徐々に剥ぎ取られていく。
【００７０】
図１６及び図１７に示した実施形態は、容器８０と、自身に箔８２が固定されたカラー８１と、キャップ８３とを備え、上記の実施形態と同様であるが、カラー８１、箔８２及びキャップ８３が一緒に外されるように設計されている。
【００７１】
キャップ８３の内ねじ形状はそれぞれ、緩い位置８３Ａ、傾斜部８３Ｂ及び休止位置８３Ｃを備える。カラー８１の周囲にキャップ８３を締め付けるには、カラーのねじ形状８１Ａが傾斜部８３Ｂに乗り上げて休止位置８３Ｃに至り、ここで（図１７Ａで示すように）カラー８１が容器のリップ８０Ａの下に確実に固定されたままになるように、キャップを回転する。閉鎖手段を外すには、ねじ形状８１Ａが傾斜部８３Ｂを下って緩い位置８３Ａへと至るように、キャップ８３を反対方向に回転する。この位置で、キャップ８３とカラー８１のねじ形状の間には十分なクリアランスＣが設けられ、これによってキャップとカラーの両方を容器本体８０からこじ開けることができ、前記クリアランスＣによってスロット８１Ａ間にあるカラー８１の部分が、まだキャップ８３に囲まれていても、リップ８０Ａから係合解除するほど十分に外側へと屈曲することができる。
【００７２】
このように、上記実施形態は（容器に接合された箔を妨害せずに）カラーに対してキャップを回転することによって閉鎖手段の固定を実行しながら、（キャップが解放位置へと回転されたら）カラー及びキャップを容器からこじ開けるにつれ、（回転作用ではなく）容器から持ち上げる剥ぎ取り作用によって箔の取り外しが漸進的に実行されるという利点を有する。
【００７３】
図１８は、リップ９０Ａが形成された容器９０と、自身に箔９２が取り付けられたカラー９１と、キャップ９３と、を備える別の実施形態を示し、キャップは、自身内に開口があるスカート部分９３Ａを有し、これによってスカートが外側へと屈曲することができる。開口は、キャップの最上部分９３Ｃから延在する舌部分９３Ｂによって部分的に覆われる。開口はタブ９３Ｄの手段によって閉鎖することができ、タブの一方端は、一体蝶番９３Ｅによってギャップの一方端にてスカート部分９３Ａに取り付けられ、他方端は、相互に係合可能な部分９３Ｆ及び／又は（キャップ９３をカラー９１上に嵌めた後の）溶着によってギャップの他方端にてスカート部分９３Ａに固定されるように取り付けられている。
【００７４】
図１８Ｂは、タブ９３Ｄがギャップにわたって固定された状態で閉位置にあるキャップを示す。図示するように、舌９３Ｂの下部分にある突起９０Ｇがタブ９３Ｄの下に捕捉されて、舌９３Ｂを所定の位置に固定する。したがって、キャップ９３は、そのスカート部分９３Ａをカラー９１の周囲に締め付けることによって、カラーの周囲に固定される。
【００７５】
閉鎖手段を外すには、タブ９３Ｄを引き裂いて開封しなければならない（これにより改竄防止を提供する）。次に、カラーを容器からこじ開けることができるように、舌９３Ｂをリップ９０Ａの下から係合解除することによって、キャップをカラーからこじ開けることができる。上述した実施形態と同様に、カラーが容器９０からこじ開けられるにつれて、箔９２が一方縁で持ち上げられ、容器９０から漸進的に剥ぎ取られる。
【００７６】
上述した配置構成のさらなる変形では、キャップは、カラーの上に設置されるが、その後にカラーから切り離されるのを防止する方法で、カラーと係合するよう設計することができる。したがって、製造中にカラーとキャップを別個に設置することができるが、消費者は（その後に再使用又はリサイクルのために分離することができるが）これを１つの構成要素として外すように、容器が設計される。そのために、キャップ及びカラーには係合手段を設けることができ、これはカラー上へとキャップを回転すると相互に乗り上げるが、キャップを反対方向に回転すると係合し、カラーから切り離されるのを防止する。これを達成する１つの方法が、図６Ａ及び図６Ｂに関して上記に説明され、並びに、図７〜図９に関しても上記に説明されている。
【００７７】
図１９Ａ〜図１９Ｃは、これを達成する別の方法を示す。この実施形態は、自身に取り付けられた箔１０１が形成されたカラーと、自身のスカート１０２Ａの内面から突出する移動止めアーム１０３が形成されたキャップ１０２と、を備える。移動止めアーム１０３は、キャップ１０２を時計回り方向にカラー１００へと「ねじ込む」とカラー１００のねじ状構成１００Ａに乗り上げ、次に、図１９Ｂに示すようにロック位置でねじ状構成１００Ａの１つの縁部と係合し、キャップ１０２がカラー１００から緩むのを防止する。１つ又は複数のさらなるこのような移動止めアームを、キャップのスカート１０２Ａの周囲に設けることができる。
【００７８】
移動止めアーム１０３は、改竄防止を提供するためにも使用することができる。キャップ１０２に脆弱化部分１０２Ｂを設けることができ、これは図１９Ｃで示すようにカラー１００からキャップ１０２のねじを緩めようとすると破損する。
【００７９】
図２０Ａ〜図２０Ｄは、カラー１１０がキャップ１１１のフック状機構１１１Ａと相互作用するフック状機構１１０Ａを有する実施形態を示す。図２０Ａ及び図２０Ｃは、閉位置へと回転した後の部品を示し、図２０Ｂ及び図２０Ｄは、キャップを通気位置へと回転した後の部品を示す。フック状部品１１０Ａ、１１１Ａは相互に係合して、カラー１１０に対するキャップ１１１のさらなる回転を防止し、容器１１３を通気するように点１１２Ａで箔１１２を破損する作用も有する。例えば図２０Ｄで示すような部品１１０Ａの外観などにより、改竄防止も提供される。フック状部品を使用して、キャップがカラーから切り離されるのを防止することができる。しかし、別の変形では、上述したような改竄防止及び／又は通気を提供することができるが、キャップはカラーから分離できるように配置構成してもよい。
【００８０】
前述したように、キャップを解放位置へと回転すると、キャップ及びカラーを一緒に容器からこじ開けることができ、こじ開けるにつれ、箔が容器から漸進的に剥ぎ取られる。
【００８１】
したがって、以上の配置構成は、ねじ山を介した回転運動、又は周方向の締め付けを使用して、閉鎖手段を容器に固定する。しかし、閉鎖手段を解放位置へと移動するにはある程度ねじを緩める必要があることがあるが、閉鎖手段の取り外し、及び特に箔の取り外しは、箔を容器から剥ぎ取る持ち上げ作用によって実行される。
【００８２】
上述した様々な実施形態の特徴は、交換によりさらなる配置構成を提供できることが理解される。
【図面の簡単な説明】
【００８３】
【図１】本発明による飲料容器の第１実施形態を示す組立分解斜視図である。
【図２Ａ】組み立てた場合の図１の飲料容器の一部を示す縦断面図である。
【図２Ｂ】図１に示した飲料容器の部分を形成するキャップを示す平面図である。
【図３】本発明による飲料容器の第２実施形態に使用する閉鎖手段を示す組立分解斜視図である。
【図４】図３に示した閉鎖手段のカラーを示す水平断面図である。
【図５】組み立てた場合の図３の飲料容器を示す斜視図である。
【図６Ａ】図３に示した閉鎖手段の第１変形を示す水平断面図である。
【図６Ｂ】図３に示した閉鎖手段の第１変形を示す水平断面図である。
【図７】図３の閉鎖手段の第２変形を示す組立分解部分図である。
【図８】組み立てた場合の図７の水平断面図である。
【図９】組み立てた場合の図７の水平断面図である。
【図１０】本発明のさらなる実施形態に使用するカラーを示す組立分解斜視図である。
【図１１Ａ】カラーの機能を示す図である。
【図１１Ｂ】カラーの機能を示す図である。
【図１２】本発明のさらなる実施形態を示す組立分解斜視図である。
【図１３】本発明による飲料容器のさらなる実施形態を示す組立分解斜視図である。
【図１４】図１３の飲料容器の部分を示す縦断面図である。
【図１５】図１３及び図１４に示した閉鎖手段の部分を外すことを示す斜視図である。
【図１６Ａ】閉位置にある本発明による飲料容器の実施形態の部分を示す縦断面図である。
【図１６Ｂ】開封している時の本発明による飲料容器の実施形態の部分を示す縦断面図である。
【図１７Ａ】閉位置にある図１６の閉鎖手段を示す水平断面図である。
【図１７Ｂ】開封している時の図１６の閉鎖手段を示す水平断面図である。
【図１８Ａ】本発明による飲料容器の更に別の実施形態を示す組立分解斜視図である。
【図１８Ｂ】組み立てた場合の図１８Ａの部分斜視図である。
【図１８Ｃ】組み立てた場合の図１８Ａの縦断面図である。
【図１９Ａ】図１３〜図１８に示したような容器で使用するのに適切な改竄防止手段を組み込んだ閉鎖手段を示す部分組立分解図である。
【図１９Ｂ】閉位置にある図１９Ａの水平断面図である。
【図１９Ｃ】開封している時の図１９Ａの水平断面図である。
【図２０Ａ】閉鎖する前の別のタイプの改竄防止手段を組み込んださらなる閉鎖手段を示す水平断面図である。
【図２０Ｂ】閉鎖した後の別のタイプの改竄防止手段を組み込んださらなる閉鎖手段を示す水平断面図である。
【図２０Ｃ】図２０Ａの部分斜視図である。
【図２０Ｄ】図２０Ｂの部分斜視図である。
【符号の説明】
【００８４】
１０  容器
１０Ａ  リップ
１１  開口
１２  箔
１２Ａ  最上部分
１２Ｂ  スカート
１３  キャップ
１３Ａ  ギャップ
１３Ｂ  クリップ
１３Ｃ  突起
１３Ｄ  フランジ
１４  カラー
１４Ｂ  ねじ状構成
１４Ｃ  穴
２０  容器
２１  箔
２２  キャップ
２２Ａ  ねじ状構成
２２Ｂ  スカート
２２Ｃ  フラップ
２３  カラー
２３Ａ  ねじ状構成
２３Ｂ  傾斜部
２３Ｃ  休止位置
３１  キャップ
３１Ａ  ねじ状構成
３１Ｂ  突起
３１Ｃ  弱い点
３２  カラー
３２Ａ  ねじ状構成
３２Ｂ  突起
３３  箔
４０  キャップ
４０Ａ  フラップ
４０Ｂ  突起
４０Ｃ  弱い点
４０Ｄ  弱い点
４１  カラー
４１Ａ  口
４２  箔
５０  箔
５１  カラー
５１Ａ  第１部品
５１Ｂ  第２部品
５１Ｃ  オーバセンタ機構
５１Ｄ  タブ
５１Ｅ  弱い点
５２  容器
５２Ａ  リップ
６０  カラー
６０Ａ  第１部品
６０Ｂ  第２部品
６１  箔
６１Ａ  スカート部分
６２  容器
７０  容器本体
７０Ａ  開口
７０Ｂ  リップ
７１  カラー
７１Ａ  環状部材
７１Ｂ  スロット
７１Ｃ  ねじ状構成
７２  箔
７３  キャップ
７３Ａ  最上部分
７３Ｂ  スカート
７３Ｃ  ねじ状構成
８０  容器
８０Ａ  リップ
８１  カラー
８１Ａ  ねじ形状
８２  箔
８３  キャップ
８３Ａ  緩い位置
８３Ｂ  傾斜部
８３Ｃ  休止位置
９０  容器
９０Ａ  リップ
９０Ｇ  突起
９１  カラー
９２  箔
９３  キャップ
９３Ａ  スカート部分
９３Ｂ  舌部分
９３Ｃ  最上部分
９３Ｄ  タブ
９３Ｅ  一体蝶番
９３Ｆ  相互に係合可能な部分
９０Ｇ  突起
１００  カラー
１００Ａ  ねじ状形状
１０１  箔
１０２  キャップ
１０２Ａ  スカート
１０２Ｂ  脆弱化部分
１０３  移動止めアーム
１１０  カラー
１１０Ａ  フック状機構
１１１  キャップ
１１１Ａ  フック状機構
１１２  箔
１１２Ａ  点
１１３  容器
【図１】
2008505811.tif 000003
【図２Ａ】
2008505811.tif 000004
【図２Ｂ】
2008505811.tif 000005
【図３】
2008505811.tif 000006
【図４】
2008505811.tif 000007
【図５】
2008505811.tif 000008
【図６Ａ】
2008505811.tif 000009
【図６Ｂ】
2008505811.tif 000010
【図７】
2008505811.tif 000011
【図８】
2008505811.tif 000012
【図９】
2008505811.tif 000013
【図１０】
2008505811.tif 000014
【図１１Ａ】
2008505811.tif 000015
【図１１Ｂ】
2008505811.tif 000016
【図１２】
2008505811.tif 000017
【図１３】
2008505811.tif 000018
【図１４】
2008505811.tif 000019
【図１５】
2008505811.tif 000020
【図１６Ａ】
2008505811.tif 000021
【図１６Ｂ】
2008505811.tif 000022
【図１７Ａ】
2008505811.tif 000023
【図１７Ｂ】
2008505811.tif 000024
【図１８Ａ】
2008505811.tif 000025
【図１８Ｂ】
2008505811.tif 000026
【図１８Ｃ】
2008505811.tif 000027
【図１９Ａ】
2008505811.tif 000028
【図１９Ｂ】
2008505811.tif 000029
【図１９Ｃ】
2008505811.tif 000030
【図２０Ａ】
2008505811.tif 000031
【図２０Ｂ】
2008505811.tif 000032
【図２０Ｃ】
2008505811.tif 000033
【図２０Ｄ】
2008505811.tif 000034
【国際調査報告】
2008505811.tif 000035
2008505811.tif 000036
2008505811.tif 000037